(57)【要約】【課題】従来の照明付きキャッシュトレ−は、トレ−の底部に発光体を備えて透かしを見るだけであるので、外観は通常の形態を成しながら紙幣の透かしを判別できるとともに、ライトパネルや照明具としても使える発光キャッシュトレ−を提供する。【解決手段】透明皿体２の下部に、内部に発光体５を有するケ−ス３上面が発光する照明台１１を位置し、その照明台１１と前記透明皿体２とがヒンジ１２連結して開閉できる発光キャッシュトレ−１を構成する。【選択図】図１
0003113802.tif 000002
【実用新案登録請求の範囲】
【請求項１】
透明皿体の下面に、内部に電源と発光体を有してケ−ス上面が発光する照明台を位置し、その照明台と前記透明皿体が開閉できるようにヒンジ連結して成る構成を特徴とするライト付き発光キャッシュトレ−。
【請求項２】
上記する発光体が、蛍光灯で構成される請求項１記載のライト付き発光キャッシュトレ−。
【請求項３】
上記する発光体が、冷陰極管で構成される請求項１記載のライト付き発光キャッシュトレ−。
【請求項４】
上記する透明皿体の底に、透明マットを取り付けた請求項１〜請求項３のいずれかの項に記載のライト付き発光キャッシュトレ−。
【考案の詳細な説明】
【技術分野】
【０００１】  本考案は、透明なキャッシュトレ−の底部にライトを内蔵することで、偽札の判別はもとより、簡易な照明具としても使えるキャッシュトレ−に関する。【０００２】  従来より、貨幣の受け渡しに使う器具としては、円形又は矩形状を成す浅い皿状のトレ−に紙幣や硬貨を載せて受け渡している。また給油スタンドなどの屋外用としては、トレ−本体に照明具と紙幣の押さえバインダ−と硬貨受け用の凹部を形成して、薄暗い所でも釣り銭の確認ができる釣り銭載置用トレ−などがある。（例えば、特許文献１参照）【０００３】  さらに、キャッシュトレ−型の箱の内部に照明装置を組み込み、その箱に紙幣を置いて底部から照明を当てることで、お札の透かしを確認できる技術もある。（例えば、特許文献２参照）
【特許文献１】特開平５−２９０２４３公報（第２頁、図１）
【特許文献２】特開２００３−２１６９９８公報（第２頁、図１）
【考案の開示】
【考案が解決しようとする課題】
【０００４】  上記するような貨幣受け渡し用の器具やトレ−が提供されており、いずれも金銭の受け渡し具としての目的は得られる。しかし、従来からある皿状のトレ−はシンプルであるが、これは単に貨幣を載せるだけの受け皿である。また特開平５−２９０２４３公報による技術は、トレ−の一部に照明具を設けることで、給油スタンドにおける自動車近くの薄暗い所でも、照明具を点灯することで釣り銭や伝票の確認がしやすい点は便利であるが、商店やス−パ−のレジなど一般的な場所で用いるには使いにくく、特定の使用場所に限られるキャッシュトレ−である。【０００５】  さらに特開２００３−２１６９９８公報による技術は、キャッシュトレ−型の箱の底部に照明装置を組み込んだトレ−に紙幣を置いて点灯することで、紙幣の透かしの有無が分かるキャッシュトレ−型紙幣の透かし確認機であるので、紙幣の透かし模様の確認はもとより、キャッシュトレ−としても使えるが、その構成におけるトレ−蓋を透明板を用いた場合は照明灯がまともに目に入るので、隠れた所で単に透かしの確認機として使うには差し支えないが、レジなどに置いてお客様の目の前で使うには照明灯が丸見えになるため、あからさまで使いにくく体裁もよくない。さらに、半透明とした場合は、透光性の白色板ならよいが、単に半透明板で、しかも暗色系の半透明の場合は照明光が透過しても光量が大幅に減ってしまうため、紙幣の透かしも明確に判別できないなど現実に対応できない技術である。
【課題を解決するための手段】
【０００６】  本考案は上記するような不便や欠点を解消したキャッシュトレ−として、請求項１においては、透明皿体の下面に、内部に電源と発光体を有してケ−ス上面が発光する照明台を位置し、その照明台と前記透明皿体がヒンジ連結により開閉する発光キャッシュトレ−とすることで、紙幣を載せると透かしの判別が容易にできるとともに、透明皿体を開けて反転すれば簡易な照明具としても使える発光キャッシュトレ−とする。【０００７】  請求項２においては、上記する発光体として、蛍光灯を用いることで長時間使用しても発熱しにくく、かつ均一な発光面にすることができる発光キャッシュトレ−とする。【０００８】  請求項３においては、上記する発光体として、冷陰極管を採用することでさらに薄くコンパクトな照明台とすることができる発光キャッシュトレ−とする。【０００９】  請求項４においては、上記する透明皿体の底に透明マットを取り付けることで、硬貨も掴みやすく、かつ装飾性も加味できる発光キャッシュトレ−とする。
【考案の効果】
【００１０】  本考案におけるキャッシュトレ−は、透明皿体の下部に発光体を有する照明台を組み合わせた発光キャッシュトレ−を構成するので、スイッチを入れて点灯した際は皿体や透明マットが美しく発光するとともに、その上に紙幣を載せると瞬時に透かし模様が浮かび上がって見えるので、レジが混雑した中にあっても、お客様に不快感を与えずさりげなく透かし模様の有無が判別できる。また偽札を使おうとする者が発光するトレ−を見ることで、偽札を使わせない抑止効果も得られるキャッシュトレ−である。さらに針状突起が付いた透明マットを透明皿体に組み合わせると、針状突起も発光することによる装飾性とともに硬貨も掴みやすいトレ−となる。【００１１】  さらに、自動車に乗ったまま貨幣の受け渡しをする給油スタンドのような薄暗い場所では一層効果的であり、また照明輝度も高いのでお客様も釣り銭や伝票の数字など容易に確認できるとともに、電池を電源とする場合は屋外でも差し支えないし、レジ周りで一日中使用する場合は外部電源にも対応できる。加えて、ヒンジ連結された透明皿体を開くとフイルムネガを見たり、印影の照合などにも使えるライトパネルとしてはもとより、そのまま反転して皿体を台座にすると柔らかな光の照明具としても使える、従来には見られない多用途に活用できるユニ−クな発光キャッシュトレ−を提供する。
【考案を実施するための最良の形態】
【００１２】  偽札の透かしの判別が可能なキャッシュトレ−として、透明素材による皿体の下部に、内部に発光体を有して上面が発光する照明台を位置した二つを、開閉自在のヒンジ連結して成る発光するキャッシュトレ−とする。
【実施例１】
【００１３】  本考案による実施例１の発光キャッシュトレ−を図１に示す一部欠損した斜視図と図２に示す透明皿体を開放した斜視図、図３のＡ−Ａ線拡大断面図で説明する。
本考案による発光キャッシュトレ−１は、透明樹脂素材による浅い透明皿体２を形成し、その透明皿体２の下部面と同じ大きさのケ−ス３の上面に透光性白色板４を設けるとともに、内部に発光体５となる小さな蛍光灯６と反射板７を組み合わせた他部に電池８を収めたケ−ス３外部に、スイッチ９と外部電源端子１０を設けて成る照明台１１を形成し、その照明台１１の上面に、前記した透明皿体２を位置した上で一辺側をヒンジ１２連結して開閉できる前記透明皿体２の底面に、軟質透明樹脂により、細い針状突起を有する透明ット１３を取り付けるとともに、前記するヒンジ１２部と対向する透明皿体２の裏面端部に金属の磁性板１４を設け、対向側の照明台１１の端部に磁石１５を備えて成るライト付き発光キャッシュトレ−１を構成する。【００１４】  本実施例における発光キャッシュトレ−１は、上面が発光する照明台１１の上に位置した透明皿体２とをヒンジ１２連結する構成であるので、通常は磁性板１４と磁石１５により磁着して一体状に形成されるため、スイッチ９を入れると照明台１１の上面及び透明皿体２や透明マット１３面も明るく発光するため、その透明皿体２に紙幣を置くと透かし模様は浮き上がるように見える。さらに、前記する透明皿体２と照明台１１はヒンジ１２連結されているので、透明皿体２を図２のように開くと、フイルムネガを見たり、印影を照合するライトパネルとして使えるとともに、そのまま透明皿体２を反転して図４のように透明皿体２を台座とすると、簡易な照明具として使えるライト付き発光キャッシュトレ−１を構成する。尚、本実施例による発光体５は蛍光灯６と反射板７の組み合わせであるが、図示していないが、冷陰極管と反射板、拡散板等の組み合わせによる方式を採用すれば、さらにケ−ス３は浅くてコンパクトな照明台１１を形成できる。【００１５】  本考案における発光キャッシュトレ−１を構成する透明皿体２は透明樹脂素材で一体成形されるが、少なくとも底面が透明であればよく、縁部は不透明でも差し支えない。また、発光体５は発熱の少ない蛍光灯６や冷陰極管などが好ましいが、これ以外のいずれの発光体でもよい。さらにヒンジ１２は左右一体に可動連結される蝶番状であるが、これ以外のいずれのヒンジ機構を採用してもよい。加えて、透明皿体２と照明台１１の係止部材は磁性板１４と磁石１５であるが、これ以外の係止部材を用いてもよく、いずれも特に限定されるものではない。
【産業上の利用可能性】
【００１６】  本考案は貨幣の受け渡し用のキャッシュトレ−であるが、照明を点灯した透明皿体の上に花を生けた容器や小物商品を載置することで、美しく展示できる発光ディスプレ−皿としても適用できる。
【図面の簡単な説明】
【００１７】
【図１】本考案の発光キャッシュトレ−の実施例を示す一部欠損した斜視図である。
【図２】発光キャッシュトレ−の透明皿体を開いた状態を示す斜視図である。
【図３】発光キャッシュトレ−のＡ−Ａ線拡大断面図である。
【図４】発光キャッシュトレ−を反転して照明具とする参考図である。
【符号の説明】
【００１８】  １  発光キャッシュトレ−
２  透明皿体
３  ケ−ス
４  透光性白色板
５  発光体
６  蛍光灯
７  反射板
８  電池
９  スイッチ
１０  外部電源端子
１１  照明台
１２  ヒンジ
１３  透明マット
１４  磁性板
１５  磁石
【図１】
0003113802.tif 000003
【図２】
0003113802.tif 000004
【図３】
0003113802.tif 000005
【図４】
0003113802.tif 000006